(57)【特許請求の範囲】
【請求項１】
不凍栓に設けられた排水部からの排水の地中への排出を補助する排水補助器具において、少なくとも前記排水部を覆うカバーであって、
不凍栓が通る不凍栓挿通部を有する天面と、
不凍栓と連通する配管が通る少なくとも１つの配管挿通部を有する側面と、
開口を有する底面と
を備え、
前記不凍栓挿通部は、
前記天面の外方から内方に向かう方向に延びるように形成された、湾曲可能な複数の天面片持ち片と、
前記複数の天面片持ち片の外方において、前記天面の周方向に互いに近接するように設けられた複数の天面貫通孔と
を有する、カバー。
【請求項２】
前記複数の天面片持ち片の各々は、該複数の天面片持ち片の各々を横切る方向に形成された少なくとも１つの直線状又は曲線状の溝を有する、
請求項１に記載のカバー。
【請求項３】
前記複数の天面片持ち片の各々は、前記少なくとも１つの直線状又は曲線状の溝の両端部に位置する切欠きを有する、
請求項２に記載のカバー。
【請求項４】
前記複数の天面片持ち片の各々は、該複数の天面片持ち片の各々の基部に形成された直線状の基部溝を有する、
請求項１から請求項３までのいずれか１項に記載のカバー。
【請求項５】
前記少なくとも１つの直線状又は曲線状の溝は、前記複数の天面片持ち片全体を合わせたときに円形又は略円形を構成するように形成されている
請求項２に記載のカバー。
【請求項６】
前記直線状の基部溝は、前記複数の天面片持ち片全体を合わせたときに多角形を構成するように形成されている、
請求項４に記載のカバー。
【請求項７】
前記複数の天面貫通孔は、全体として円形又は多角形を構成するように形成されている、
請求項１から請求項６までのいずれか１項に記載のカバー。
【請求項８】
前記不凍栓挿通部は、前記複数の天面片持ち片全体を合わせたときに該複数の天面片持ち片の各々の先端部の内方に設けられる天面開口を有する、
請求項１から請求項７までのいずれか１項に記載のカバー。
【請求項９】
前記少なくとも１つの配管挿通部は、前記側面の外方から内方に向かう方向に延びるように形成された湾曲可能な複数の側面片持ち片を有する、
請求項１から請求項８までのいずれか１項に記載のカバー。
【請求項１０】
前記複数の側面片持ち片の各々は、該複数の側面片持ち片の各々を横切る方向に形成された少なくとも１つの直線状又は曲線状の溝を有する、
請求項９に記載のカバー。
【請求項１１】
前記配管挿通部は、前記複数の側面片持ち片全体を合わせたときに該複数の側面片持ち片の各々の先端部の内方に設けられる側面開口を有する、
請求項９又は請求項１０に記載のカバー。
【請求項１２】
前記天面の中心を通り前記天面に垂直な面で二分割された２つの分割筐体を組み合わせて形成される、
請求項１から請求項１１までのいずれか１項に記載のカバー。
【発明の詳細な説明】
【技術分野】
【０００１】
本発明は、排水ボックスとその上に配置されるカバーとからなる排水補助器具に関し、より具体的には、不凍栓が通る天面に湾曲可能な複数の片持ち片を設け、それにより種々のサイズの不凍栓に容易に適合させることを可能とする、施工性を向上させたカバーに関する。
【背景技術】
【０００２】
寒冷地においては、冬期間の水道凍結防止を目的として、不凍栓が設置されることが一般的である。不凍栓には、用途、形状又は構造などに応じて、不凍水抜栓、不凍水栓柱など４種類がある。これらのうち、不凍水抜栓を例として、以下にその機能を説明する。不凍水抜栓は、弁本体と、弁本体の操作を行うハンドルとを備える。弁本体は、流入口、流出口及び排水口を有し、流入口には配水管につながる給水管（上流側配管）が接続され、流出口には末端器具に水を供給するための配管（下流側配管）が接続される。ハンドル操作によって弁本体を通水状態にしたときには、流入口から流出口に向かって水が流れ、末端器具に水が供給される。一方、ハンドル操作によって弁本体を水抜き状態にしたときには、流出口と排水口との間に流路が形成され、下流側配管内の水が排水口から排出される。不凍水抜栓の弁本体が設けられた部分は地中に配置されており、排水口から排出された水は、地中に流出する。
【０００３】
排水口からの排水を円滑に行うために、通常、排水補助器具が、不凍栓とともに設置される。排水補助器具の一例が、特許文献１に開示される。この排水補助器具は、集積部材（４）及び排水ボックス（５）によって構成される。集積部材（４）は、不凍水抜栓（１）が通る孔部を天面に有し、底面が開放された中空形状の箱体であり、内部に不凍水抜栓（１）が配置される。排水ボックス（５）は、天面に複数の孔を有し、底面が開放された中空形状の箱体である。集積部材（４）は、排水ボックス（５）の天面の孔を覆うように配置される。
【０００４】
この排水補助器具は、次のように機能する。不凍水抜栓（１）による水抜き作業の際に、排水口（１−３）からの水は、排水ボックス（５）の天面上に排出される。このとき、排水口（１−３）の周囲は集積部材（４）で包囲されているため、排出された水は飛散することなく、排水ボックス（５）の天面に設けられた複数の孔から排水ボックス（５）の内部に落下する。落下した水は、排水ボックス（５）内に一時的に溜まり、その後地中に浸透する。このようにして、配管（３）内の水が、速やかに排出される。不凍水抜栓（１）の排水口（１−３）が集積部材（４）に包囲されるため、土砂による排水口（１−３）の閉塞を防ぐこともできる。
【０００５】
本出願の出願人は、特許文献１に開示されたものと同様の原理を用いた排水補助器具を製造、販売している（非特許文献１を参照されたい）。非特許文献１に記載されるドレンマス上部及びドレンマス本体は、それぞれ、特許文献１における集積部材及び排水ボックスに対応する。非特許文献１における排水補助器具のドレンマス上部は、底面が開放された概ね方形の中空の箱体であり、天面には不凍栓が通る挿通孔を有し、側面には上流側配管及び下流側配管が通る挿通孔を有する。ドレンマス上部は、側面の中央部分で縦に２分割された一対の分割部材を組み合わせることによって構成される。また、ドレンマス上部の天面は、必要に応じて切り取ることによって挿通孔の大きさ及び形状を変化させて、複数の種類の不凍栓に適応させることが可能となる、複数のノックアウト部を有する。
【先行技術文献】
【特許文献】
【０００６】
【特許文献１】実公昭６２−１３３０号公報
【特許文献２】特許第３０４５５９１号公報
【特許文献３】特開２０１８−０４０２３９号公報
【非特許文献】
【０００７】
【非特許文献１】株式会社光合金製作所技術資料  排水補助器具  ドレンマス
【発明の概要】
【発明が解決しようとする課題】
【０００８】
非特許文献１の排水補助器具は、次のようにして設置される。まず、地面に設けられた穴の底にドレンマス本体を配置し、その天面に不凍栓を載置して、その不凍栓の種類に応じて上流側配管のみ又は上流側配管及び下流側配管の両方を接続する。次に、二分割されたドレンマス上部を、排水口を覆うように不凍栓の側方から組み合わせて、ドレンマス本体の上に載置する。次に、ドレンマス上部全体を覆うようにビニールシートを被せる。最後に、ドレンマス本体及びドレンマス上部の周囲を土で埋める。設置の際には、二分割されたドレンマス上部の組み立てを穴の中という限られた空間で行わなければならず、施工性の改善が求められている。なお、以下においては、ドレンマス本体を「排水ボックス」、ドレンマス上部を「カバー」という。
【０００９】
限られた空間での施工性を改善する方法として、排水ボックスに載置された不凍栓の上から、不凍栓を天面の挿通孔に通しながらカバーを被せるように配置することが考えられる。しかし、不凍栓の上部に配設されている部材（例えば、上部に配置される操作部など）が不凍栓の胴体より大きい場合などには、不凍栓の胴体に合わせた大きさの挿通孔では当該部材を通すことはできず、天面の挿通孔を拡大した状態でカバーを被せる必要がある。ところが、このような方法でカバーを被せた場合には、不凍栓の胴体と挿通孔との間に必要以上に大きな隙間が生じ、そこから入り込んだ多量の土砂が排水口を塞ぐ恐れがある。
【００１０】
そこで、こうした方法を採用する場合における天面の挿通孔の構成として、挿通孔の大きさを自在に変えることが可能な構成を採用することが考えられる。そのような構成として、例えば特許文献２や特許文献３などに開示されているような弾性を有する複数の舌状片をカバーの天面に採用することが考えられる。こうした構成を採用する天面においては、天面の外周と挿通孔を通る不凍栓との間に、湾曲した複数の舌状片が存在するための所定のスペースを要する。したがって、挿通孔に通される部材の最大径に対応するように天面を構成すると、広い面積の天面を採用する必要があるため、カバーの天面の径をその胴体より大きくするか、天面の径に合わせて胴体を大きくするか、いずれかの方法を採らなければならない。ところが、排水ボックスを収容するスペースを必要以上に地面に広く確保することが困難であること、非特許文献１に記載される不凍栓ボックスの配置も可能としなければならないことなどといった制約のため、天面の面積を従来のカバーより大きくすることは実質的に難しい。さらに、製造時におけるコストの増大を回避する観点から、カバーの大型化は望ましくない。
【００１１】
本発明は、制約のある天面において、天面の面積を従来のカバーと同程度としつつ、天面に通される可能性のある様々な径及び形状の不凍栓に対応可能な構造を有するカバーを提供することを課題とする。
【課題を解決するための手段】
【００１２】
本発明の課題は、不凍栓の胴体部分が収められる不凍栓挿通部分に、湾曲可能な複数の片持ち片と、必要に応じて複数の片持ち片及びノックアウト部分を除去するための貫通孔との両方を形成することによって、解決することができる。
【００１３】
本発明は、不凍栓に設けられた排水部からの排水の地中への排出を補助する排水補助器具に用いられる、少なくとも排水部を覆うカバーを提供する。カバーは、不凍栓が通る不凍栓挿通部を有する天面を備える。不凍栓挿通部は、天面の外方から内方に向かう方向に延びるように形成された湾曲可能な複数の天面片持ち片と、それらの天面片持ち片の外方において、天面の周方向に互いに近接するように設けられた複数の天面貫通孔とを有する。カバーは、さらに、不凍栓と連通する配管が通る少なくとも１つの配管挿通部を有する側面と、開口を有する底面とを備える。
【００１４】
一実施形態においては、複数の天面片持ち片の各々は、天面片持ち片の各々を横切る方向に形成された少なくとも１つの直線状又は曲線状の溝を有することが好ましい。少なくとも１つの直線状又は曲線状の溝は、複数の天面片持ち片全体を合わせたときに円形又は略円形を構成するように形成される。この溝で折り曲げることによって、天面片持ち片を全体として湾曲した形状とすることができ、湾曲した天面片持ち片によって、不凍栓の径及び形状に合わせた開口を形成することができる。直線状又は曲線状の溝の両端部には、溝の部分を折り曲げやすくするために、切欠きを有することが好ましい。
【００１５】
一実施形態においては、複数の天面片持ち片の各々は、複数の天面片持ち片の各々の基部に形成された直線状の基部溝を有することが好ましい。直線状の基部溝は、複数の天面片持ち片全体を合わせたときに多角形を構成するように形成される。この溝で天面片持ち片を折り曲げることによって、不凍栓の径及び形状に合わせた開口を形成することができる。
【００１６】
一実施形態においては、複数の天面貫通孔は、全体として円形又は多角形を構成するように形成されることが好ましい。また、不凍栓挿通部は、複数の天面片持ち片全体を合わせたときに該複数の天面片持ち片の各々の先端部の内方に設けられる天面開口を有することが好ましい。天面貫通孔によって形成される円形又は多角形は、径の大きな不凍栓に対応するように形成され、天面開口は、径の小さな不凍栓に対応するように形成される。
【００１７】
一実施形態においては、少なくとも１つの配管挿通部は、側面の外方から内方に向かう方向に延びるように形成された湾曲可能な複数の側面片持ち片を有することが好ましい。また、複数の側面片持ち片の各々は、該複数の側面片持ち片の各々を横切る方向に形成された少なくとも１つの直線状又は曲線状の溝を有することが好ましい。湾曲可能な複数の側面片持ち片によって、異なる径の配管に合わせた開口を形成することができる。配管挿通部は、複数の側面片持ち片全体を合わせたときに該複数の側面片持ち片の各々の先端部の内方に設けられる側面開口を有することが好ましい。この側面開口は、径の小さな配管に対応するように形成される。
【００１８】
一実施形態においては、カバーは、天面の中心を通り天面に垂直な面で二分割された２つの分割筐体を組み合わせて形成されるものとすることができる。
【発明の効果】
【００１９】
本発明によれば、不凍栓の排水部を覆うカバーにおいて、不凍栓の胴体部分が収められる不凍栓挿通部分に、溝を有する複数の片持ち片とノックアウト部分を除去するための貫通孔との両方が設けられていることにより、胴体部分の径及び形状に適した開口をカバーに形成することができる。したがって、カバー内部への土砂の流入を減少させることができるとともに、現場での施工性を向上させることができる。
【図面の簡単な説明】
【００２０】
【図１】本発明の一実施形態によるカバーの斜視図である。
【図２】本発明の一実施形態によるカバーの上面図である。
【図３】本発明の別の実施形態によるカバーの斜視図である。
【図４】本発明の一実施形態によるカバーの使用状態を示す斜視図であり、（ａ）〜（ｅ）はそれぞれ、径又は形状が異なる不凍栓についてカバーが施工される場合の例を示す。
【図５】本発明の別の実施形態によるカバーの使用状態を示す斜視図であり、（ａ）〜（ｃ）はそれぞれ、径が異なる配管についてカバーが施工される場合の例を示す。
【発明を実施するための形態】
【００２１】
以下において、図面を参照しながら、本発明の実施形態を詳細に説明する。図１は、本発明の一実施形態によるカバー１の斜視図であり、図２は、カバー１を天面の方向から見た上面図である。また、図３は、本発明の別の実施形態によるカバー１’の斜視図である。さらに、図４は、カバー１の使用状態を示す斜視図であり、図５は、カバー１’の使用状態を示す斜視図である。図４（ａ）〜図４（ｅ）はそれぞれ、径又は形状が異なる不凍栓３についてカバー１を施工する場合の例を示し、図５（ａ）〜図５（ｃ）はそれぞれ、径が異なる配管４、５についてカバー１’を施工する場合の例を示す。カバー１及びカバー１’は、図４及び図５に示されるように、例えば非特許文献１に開示されるような排水ボックス２の上面に配置され、カバー１及びカバー１’の内部の空間には、不凍栓３の排水部が配置される。
【００２２】
（カバー１の概要）
カバー１は、天面１０と、天面１０の下方に延びる側面２０とを備える。天面１０は、概ね十角形の形状を有するが、これに限定されるものではなく、必要に応じて、例えば円形状や四角形状などとすることもできる。側面２０は、六面で形成されており、全体として概ね六角柱の形状を有するが、これに限定されるものではなく、必要に応じて、例えば円柱形状や四角柱形状などとすることもできる。カバー１は、さらに底面３０（すなわち、六角柱の底面）を備え、底面３０は、開口３１を有する。カバー１においては、底面３０全体が開口３１として形成されているが、これに限定されるものではなく、底面３０の一部に開口３１が形成されていてもよい。
【００２３】
側面２０の上方には、角部に設けられた４つのガイド２９ａと、さらにその上方に設けられた周方向に連続するガイド２９ｂとが設けられることが好ましい。これらのガイド２９ａ、２９ｂには、不凍栓の保護及び美観の向上を目的として、不凍栓を収納する不凍栓ボックスを載置することができる。ガイド２９ａとガイド２９ｂは、互いに段差を設けて配置されており、それぞれに異なる径の不凍栓ボックスを載置することができるようになっている。
【００２４】
カバー１は、製造及び施工の容易性の観点から、２つの部分を組み合わせて構成されることが好ましい。すなわち、カバー１は、縦に二分割された２つの分割筐体１ａ及び分割筐体１ｂを組み合わせて形成されることが好ましく、分割位置は、天面１の中心をとおり、天面１に垂直な平面であることが好ましい。分割筐体１ａ及び分割筐体１ｂには、嵌合部２８が設けられることが好ましい。例えば分割筐体１ａには、側面２０の一方の分割縁部付近に嵌合孔２８ａが設けられ、他方の分割縁部付近には嵌合爪２８ｃを有する嵌合凸部２８ｂが設けられる。同様に、分割筐体１ｂには、分割筐体１ａの嵌合孔２８ａに対向する位置に、嵌合爪２８ｃを有する嵌合凸部２８ｂが設けられ、分割筐体１ａの嵌合凸部２８ｂに対抗する位置に嵌合孔２８ａが設けられる。２つの分割筐体１ａ、１ｂは、一方の嵌合凸部２８ｂが他方の嵌合孔２８ａに挿入され、嵌合爪２８ｃが嵌合孔２８ａの枠に係合することによって、１つのカバー１として固定される。別の実施形態において、カバー１は、２つの部分を組み合わせて構成するのではなく、一体的に形成された一つの部材であってもよい。
【００２５】
カバー１の材質は、特に限定されるものではないが、取扱及び製造の容易性並びに耐腐食性の観点から、樹脂であることがより好ましく、ポリプロピレン樹脂であることが最も好ましい。樹脂製のカバー１は、汎用の製造方法、例えば射出成形方法などによって製造することができる。
【００２６】
（天面の構造）
まず、カバー１の天面１０の構造を説明する。天面１０は、不凍栓３の胴体部分を挿通させるのに適した構造の不凍栓挿通部１１を有する。不凍栓挿通部１１は、その最も外方に配置された１４個の天面貫通孔１２と、天面貫通孔１２の内方に設けられたノックアウト部１７と、ノックアウト部１７の内方に設けられた１６個の天面片持ち片１４と、天面片持ち片１４の内方に形成された天面開口１６とを有する。
【００２７】
天面貫通孔１２の各々は、天面１０を貫通する円弧形状の細長い孔として形成され、天面１０の周方向に互いに近接するように設けられており、したがって１４個の天面貫通孔１２が全体として円形を構成するようになっている。隣接する天面貫通孔１２の間には切断部１５が設けられており、すべての切断部１５を切断することによって、天面貫通孔１２より内方に配置された部分がすべて除去され、天面１０に、天面貫通孔１２の外側の縁を外周とする円形開口が形成される。この円形開口の直径は、挿通される可能性のある不凍栓３のうち、胴体部分の径が最も大きいものに対応するように設計されている。
【００２８】
別の実施形態においては、１４個の天面貫通孔１２は、全体として多角形を構成するような形状及び配置で天面１０に設けられていてもよい。なお、天面貫通孔１２の数は、内方に配置される構造に影響を与えない限り、１４個に限定されるものではない。
【００２９】
天面貫通孔１２の内方には、切断部１５が切断されたときに除去されることになる６個のノックアウト部１７が配置され、さらにノックアウト部１７の内方には、概ね台形状の１６個の天面片持ち片１４が配置される。１６個の天面片持ち片１４は、各々の基部がノックアウト部１７に連続し、それぞれ天面１０の外方から内方に向かう方向に延びるように形成され、隙間１３を介して互いに天面１０の周方向に並ぶように配置されている。６個のノックアウト部１７の各々に、２個又は４個の天面片持ち片１４の基部が連続している。１６個の天面片持ち片１４の先端部（頂辺１４ｄ）のさらに内方には、天面開口１６が位置する。
【００３０】
天面片持ち片１４の各々は、ノックアウト部１７に連続する基部に形成された基部溝１４ａと、中間部分に形成された中間溝１４ｂとを有する。基部溝１４ａ及び中間溝１４ｂは、天面片持ち片１４の上面に形成された凹みとして形成されており、したがって、天面片持ち片１４の各々は、基部溝１４ａ及び中間溝１４ｂのいずれか一方又は両方で折り曲げることによって、長さ方向に湾曲させることができる。
【００３１】
基部溝１４ａの各々は、隣接する４個の天面片持ち片１４を合わせたときに４つの基部溝１４ａが一直線上に並ぶとともに、１６個の天面片持ち片１４全体を合わせたときに四角形を構成するように、直線状の溝として形成されている。したがって、１６個の天面片持ち片１４を基部溝１４ａの部分で上方に折り曲げたときに、基部溝１４ａに対応する天面片持ち片１４の下面（裏面）によって、４個の天面片持ち片を１辺とする四角形（より具体的には、正方形）の開口が形成される。なお、本実施形態においては、分割筐体１ａ及び分割筐体１ｂを予め組み合わせたカバー１を、不凍栓３の上から、不凍栓３を不凍栓挿通部１１に通しながら被せるように設置するので、天面片持ち片１４は、基部溝１４ａの部分で上方に折り曲げられる。しかしながら、別の設置方法として、不凍栓３の排水口の側方から分割筐体１ａ及び分割筐体１ｂを組み合わせる従来の方法を用いてもよく、その場合には、天面片持ち片１４が、基部溝１４ａの部分で上方又は下方のどちらに折り曲げられてもよい。
【００３２】
本実施形態においては、直線状の１６個の基部溝１４ａは、全体を合わせたときに四角形を構成するように形成されているが、これに限定されるものではなく、合わせたときに五角形以上の多角形を構成するように形成されてもよい。例えば、図２において、隣接する４個の天面片持ち片１４を合わせたときに４個の基部溝１４ａが一直線上に並ぶように形成されているが、別の実施形態においては、隣接する２個の天面片持ち片１４を合わせたときに２個の基部溝１４ａが一直線上に並ぶように形成することもできる。この場合には、１６個の天面片持ち片１４全体を合わせたときに、１６個の基部溝１４ａは、八角形を構成するように並ぶことになる。
【００３３】
中間溝１４ｂの各々は、天面片持ち片１４の中間部分において天面片持ち片１４の幅方向に延びる直線状の溝であり、１６個の天面片持ち片１４全体を合わせたときに略円形（より詳細には、十六角形）を構成するように、形成されている。したがって、１６個の天面片持ち片１４を中間溝１４ｂの部分で上方に折り曲げたときに、中間溝１４ｂに対応する天面片持ち片１４の下面（裏面）によって、略円形の開口が形成される。なお、本実施形態においては、分割筐体１ａ及び分割筐体１ｂを予め組み合わせたカバー１を、不凍栓３の上から、不凍栓３を不凍栓挿通部１１に通しながら被せるように設置するので、天面片持ち片１４は、中間溝１４ｂの部分で上方に折り曲げられる。しかしながら、別の設置方法として、不凍栓３の排水口の側方から分割筐体１ａ及び分割筐体１ｂを組み合わせる従来の方法を用いてもよく、その場合には、天面片持ち片１４が、中間溝１４ｂの部分で上方又は下方のどちらに折り曲げられてもよい。
【００３４】
別の実施形態において、中間溝１４ｂの各々は、基部方向に突出する曲線状の溝として形成することもでき、この場合には、１６個の天面片持ち片１４全体を合わせたときに中間溝１４ｂが円形を構成することになる。さらに別の実施形態において、中間溝１４ｂの各々は、それぞれ頂辺１４ｄの方向に突出する曲線状の溝として形成することもできる。天面片持ち片１４の各々における中間溝１４ｂの数は、１つに限定されるものではなく、例えば、天面片持ち片１４の中間部分で幅方向に延びる２つ以上の中間溝が形成されていてもよい。
【００３５】
中間溝１４ｂの両端部には、天面片持ち片１４の側辺１４ｃ１、１４ｃ２の各々の一部に形成された切欠き１４ｅ１、１４ｅ２が配置されることが好ましい。切欠き１４ｅ１、１４ｅ２が中間溝１４ｂの両端部に配置されることによって、天面片持ち片１４の中間溝１４ｂでの折り曲げをより容易にすることができる。切欠き１４ｅ１、１４ｅ２は、半円形状のものとして形成されているが、折り曲げを容易にすることができるものであればこれに限定されるものではなく、例えば三角形状であってもよい。
【００３６】
基部溝１４ａ及び中間溝１４ｂの深さ及び幅は、現場における施工時に天面片持ち片１４をこれらの部分で折り曲げることに支障がなければ、特に限定されるものではない。また、基部溝１４ａ及び中間溝１４ｂの横断面形状は、本実施形態においては概ね逆台形状であるが、これに限定されるものではなく、例えば逆三角形状や半円形状であってもよい。さらに、基部溝１４ａ及び中間溝１４ｂは、本実施形態においては天面片持ち片１４の上面に形成されているが、これに限定されるものではなく、例えばいずれか一方又は両方が天面片持ち片１４の下面に形成されていてもよい。
【００３７】
天面片持ち片１４の頂辺１４ｄの各々は、全体を合わせたときに天面開口１６が円形となるように、曲線状に形成されることが好ましい。別の実施形態においては、頂辺１４ｄの各々は、曲線状ではなく直線状に形成されてもよく、この場合には、１６個の頂辺１４ｄ全体を合わせたときに、天面開口１６が略円形（より詳細には十六角形）を形成する。天面開口１６の大きさは、挿通される可能性のある不凍栓３のうち、胴体部分の径が最も小さいものに対応するように設計されている。
【００３８】
（側面の構造）
次に、カバー１の側面２０の構造を説明する。側面２０は、六面で形成され、全体として概ね六角柱の形状を有し、対向する２つの広い面２０ａ、２０ｂの各々に、同じ構造の配管挿通部２１を有する。配管挿通部２１には不凍栓３と接続される配管が挿通される。通常は、面２０ａ及び面２０ｂの一方の配管挿通部２１に、配水管と不凍栓３の流入口とを接続する上流側配管４が通され、他方の配管挿通部２１に、末端器具と不凍栓３の流出口とを接続する下流側配管５が通される。
【００３９】
配管挿通部２１は、最も外方に設けられた４個の側面貫通孔２２と、４個の側面貫通孔２２の内方に設けられたノックアウト部２７と、ノックアウト部２７の内方に形成された逆Ｕ字形状の側面開口２６とを有する。側面貫通孔２２の各々は、面２０ａ、２０ｂを貫通する円弧形状又は直線状の細長い孔として形成され、面２０ａ、２０ｂの周方向に互いに近接するように設けられており、４個の側面貫通孔２２が全体として逆Ｕ字形状を構成するようになっている。隣接する側面貫通孔２２の間には切断部２５が設けられており、すべての切断部２５を切断することによって、ノックアウト部２７が除去され、側面貫通孔２２の外側の縁を外周とする逆Ｕ字形状の開口が形成される。側面開口２６は、挿通される可能性のある上流側配管４及び下流側配管５のうち施工頻度が高い径に対応するように設計されており、逆Ｕ字形状の開口は、挿通される可能性のある上流側配管４及び下流側配管５のうち径が最も大きいものに対応するように設計されている。側面貫通孔２２の位置、数及び全体の形状、切断部２５の数及び位置、ノックアウト部２７の数及び形状、並びに側面開口２６の形状は、図１に示されるものに限定されない。
【００４０】
本発明に係るカバーは、例えば特開２００５−２９９１５１号公報に記載される湯水抜栓に用いることもできる。この湯水抜栓は、凍結を防止するために、寒冷地における室内の水を通水させる水道配管の水抜きだけではなく、湯を通水させる水道配管の水抜きも１回の操作で行うことができる機能を持つ。湯水抜栓には、その流入口に接続される水の上流側配管及び流出口に接続される下流側配管と、湯受け口に接続される湯配管との合計３本の水道配管が接続される。したがって、湯水抜栓に対応するカバー１の側面には、図示しないが、例えば対向する配管挿通部２１が設けられた面以外の面に、湯配管を挿通する湯配管挿通部も設けられることになる。湯配管挿通部は、ノックアウト部を設けておき、必要に応じてノックアウト部の一部を除去する構造として形成されていてもよい。このように、本発明の主旨を逸脱しない範囲内で種々変更して実施することは可能である。
【００４１】
図３には、カバー１の配管挿通部２１とは異なる構造の配管挿通部２１’を有するカバー１’が示される。なお、カバー１’の天面１０は、図１に示されるカバー１の天面１０と同じ構造を採用しているため、図３においては、カバー１の天面１０と同じ部分を示す符号は省略されている。また、配管挿通部２１’は、カバー１’の側面２０’の対向する２つの面２０ａ’、２０ｂ’の各々に配置されているが、いずれも同じ形状であるため、以下においては一方の面２０ａ’に配置された配管挿通部２１’のみについて説明する。ただし、別の実施形態において、一方の側面２０ａ’に配管挿通部２１’が形成され、他方の側面２０ｂ’に図１に示される配管挿通部２１が形成されたカバーとすることもできる。
【００４２】
配管挿通部２１’は、天面片持ち片１４と同様の構造を持つ２４個の側面片持ち片２４を有する。側面片持ち片２４は、各々の基部が面２０ａ’に連続し、それぞれ面２０ａ’の外方から内方に向かう方向に延びるように形成され、隙間２３を介して互いに面２０ａ’の周方向に並ぶように配置されている。２４個の側面片持ち片２４の先端部（頂辺２４ｄ）の内方には、側面開口２６’が位置する。側面開口２６’の大きさは、挿通される配管のうち施工頻度の高い径のものが通るように設計されている。
【００４３】
側面片持ち片２４の各々は、面２０ａ’に連続する基部に形成された基部溝２４ａと、中間部分において幅方向に延びるように形成された中間溝２４ｂとを有する。側面片持ち片２４の各々は、側面片持ち片２４の外面に形成された凹みとして形成されており、したがって、基部溝２４ａ及び中間溝２４ｂのいずれか一方又は両方で折り曲げることにより、長さ方向に湾曲させることができる。
【００４４】
基部溝２４ａ及び中間溝２４ｂの各々は、直線状又は曲線状とすることができる。基部溝２４ａの各々及び中間溝２４ｂの各々は、２４個の側面片持ち片２４を合わせたときに逆Ｕ字形状を構成するように形成されている。しかし、２４個の基部溝２４ａ及び中間溝２４ｂは、全体を合わせたときに逆Ｕ字形状を構成することに限定されるものではなく、合わせたときに円形を構成するように形成されてもよい。側面片持ち片２４の各々における中間溝２４ｂの数は、１つに限定されるものではなく、例えば、側面片持ち片２４の中間部分で幅方向に延びる２つ以上の中間溝が形成されていてもよい。
【００４５】
基部溝２４ａ及び中間溝２４ｂの深さ及び幅は、現場における施工時に側面片持ち片２４をこれらの部分で折り曲げることに支障がなければ、特に限定されるものではない。また、基部溝２４ａ及び中間溝２４ｂの断面形状は、本実施形態においては概ね逆台形状であるが、これに限定されるものではなく、例えば逆三角形状や半円形状とすることもできる。さらに、基部溝２４ａ及び中間溝２４ｂは、本実施形態においては側面片持ち片２４の外面に形成されているが、これに限定されるものではなく、例えばいずれか一方又は両方が側面片持ち片２４の内面に形成されていてもよい。
【００４６】
（カバー１の使用状態）
図４は、カバー１の使用状態を示す斜視図である。図４（ａ）〜図４（ｅ）はそれぞれ、胴体部分の径又は形状が異なる不凍栓３について施工される場合の例を示す。図４（ａ）から図４（ｅ）にかけて、順に不凍栓３の胴体部分の径が大きくなっており、胴体部分の径及び形状に応じて不凍栓挿通部１１の形状をどのように変化させるかが示されている。
【００４７】
図４（ａ）は、胴体部分の径が最も小さい不凍栓（想定される直径は２７ｍｍ程度）についてカバー１が使用される場合の例を示す。この場合には、胴体部分の径は天面開口１６の直径より小さく、したがって、不凍栓挿通部１１のノックアウト部１７は除去されておらず、天面片持ち片１４も折り曲げられていない。この例においては、不凍栓の種類は不凍水栓柱であり、下流側配管がないため、上流側配管４のみが不凍栓に接続される。そのため、図の手前の配管挿通部２１には配管が挿通されていない。配管挿通部２１の部分に位置する上流側配管４の径が小さいため、配管挿通部２１のノックアウト部２７は除去されていない。
【００４８】
図４（ｂ）は、図４（ａ）に示される不凍栓より胴体部分の径が大きい不凍栓（想定される直径は４８ｍｍ程度）についてカバー１が使用される場合の例を示す。この場合には、胴体部分の径は、天面開口１６の径より大きく、複数の中間溝１４ｂによって形成される略円形の開口の径より小さいため、天面片持ち片１４の各々は、中間溝１４ｂの部分で上方に折り曲げられている。上方に折り曲げられた天面片持ち片１４の頂辺１４ｄが不凍栓３の胴体の外表面に当たるため、外表面と頂辺１４ｄとの間には、ほとんど隙間が形成されていない。この例における不凍栓の種類は不凍水抜栓であり、上流側配管４及び下流側配管５が接続される。そのため、図の手前の配管挿通部２１にも配管が挿通されている。配管挿通部２１の部分に位置する上流側配管４及び下流側配管５の径が小さいため、配管挿通部２１のノックアウト部２７は除去されていない。
【００４９】
図４（ｃ）は、図４（ｂ）に示される不凍栓より胴体部分の径が大きく（想定される１辺は６０ｍｍ程度）、胴体部分が四角柱形状である不凍栓についてカバー１が使用される場合の例を示す。この場合には、胴体部分は、複数の中間溝１４ｂによって形成される略円形の径より大きく、かつ四角柱形状であるため、天面片持ち片１４の各々は、基部溝１４ａの部分で上方に折り曲げられている。天面片持ち片１４の頂辺１４ｄは、不凍栓３の胴体の外表面に当たっている。この例における不凍栓の種類は、図４（ａ）と同様の不凍水栓柱であり、下流側配管がないため、上流側配管４のみが不凍栓に接続される。そのため、図の手前の配管挿通部２１には配管が挿通されていない。配管挿通部２１の部分に位置する上流側配管４の径が小さいため、配管挿通部２１のノックアウト部２７は除去されていない。
【００５０】
図４（ｄ）は、図４（ｂ）に示される不凍栓より胴体部分の径が大きく（想定される直径は６０ｍｍ程度）、胴体部分が円柱形状である不凍栓についてカバー１が使用される場合の例を示す。この場合は、胴体部分は、複数の中間溝１４ｂによって形成される略円形の径より大きいため、天面片持ち片１４の各々は、基部溝１４ａの部分で上方に折り曲げられている。天面片持ち片１４の４個ずつの頂辺１４ｄで形成される弧状の４辺が、不凍栓３の胴体の外表面に当たるため、外表面と頂辺１４ｄとの間には、ほとんど隙間が形成されていない。この例における不凍栓の種類は、図４（ａ）、図４（ｃ）と同様の不凍水栓柱であり、下流側配管がないため、上流側配管４のみが不凍栓に接続される。そのため、図の手前の配管挿通部２１には配管が挿通されていない。配管挿通部２１の部分に位置する上流側配管４の径が小さいため、配管挿通部２１のノックアウト部２７は除去されていない。
【００５１】
図４（ｅ）は、最も大径の胴体部分を持つ不凍栓（想定される直径は８８ｍｍ程度）についてカバー１が使用される場合の例を示す。この場合には、切断部１５（図２参照）が切断されることによってすべての天面貫通孔１２が繋げられるとともに、天面貫通孔１２より内方に配置された部分がすべて除去され、形成された円形開口に不凍栓の胴体部分が収められている。この例における不凍栓は、図４（ｂ）と同様の不凍水抜栓であり、上流側配管４及び下流側配管５が接続される。そのため、図の手前の配管挿通部２１にも配管が挿通されている。配管挿通部２１の部分に位置する上流側配管４及び下流側配管５の径が側面開口２６より大きいため、切断部２５が切断されることによって配管挿通部２１のノックアウト部２７が除去されている。
【００５２】
（カバー１’の使用状態）
図５は、カバー１’の使用状態を示す斜視図である。図５（ａ）〜図５（ｃ）はそれぞれ、胴体部分の径又は形状が異なるとともに、接続される配管の径が異なる不凍栓について施工される場合の例を示す。図５（ａ）から図５（ｃ）にかけて、順に配管の径が大きくなっており、配管の径に応じて配管挿通部２１’の形状をどのように変化させるかが示されている。これらの例における不凍栓の種類は不凍水抜栓であり、上流側配管４及び下流側配管５が接続されるため、図の手前の配管挿通部２１’にも配管が挿通されている。
【００５３】
図５（ａ）は、図４（ｂ）と同じ径の不凍栓についてカバー１’が使用される場合の例を示す。この場合には、胴体部分の径は、天面開口１６の径より大きく、複数の中間溝１４ｂによって形成される略円形の開口の径より小さいため、天面片持ち片１４の各々は、中間溝１４ｂの部分で上方に折り曲げられている。また、配管挿通部２１’の部分に位置する上流側配管４及び下流側配管５は、いずれも側面開口２６’の径より小さいため、側面片持ち片２４は折り曲げられていない。
【００５４】
図５（ｂ）及び図５（ｃ）は、胴体が図４（ｅ）と同じ径及び形状の不凍栓についてカバー１’が使用される場合の例を示す。図５（ｂ）の不凍栓と図５（ｃ）の不凍栓とは、接続される上流側配管４及び下流側配管５の径が異なり、図５（ｃ）の不凍栓の方が、接続される配管の径が大きい。これらの場合には、切断部１５が切断されることによってすべての天面貫通孔１２が繋げられるとともに、天面貫通孔１２より内方に配置された部分がすべて除去され、形成された円形開口に不凍栓３の胴体部分が収められている。図５（ｂ）の場合には、配管挿通部２１’の部分に位置する上流側配管４及び下流側配管５の径は、側面開口２６’より大きく、複数の中間溝２４ｂによって形成される略Ｕ字形状の開口の径より小さいため、下方の数個を除く側面片持ち片２４の各々は、中間溝２４ｂの部分で外方に折り曲げられている。一方、図５（ｃ）の場合には、配管挿通部２１’の部分に位置する上流側配管４及び下流側配管５の径は、複数の中間溝２４ｂによって形成される略Ｕ字形状の開口の径より大きく、複数の基部溝２４ａによって形成される略Ｕ字形状の開口の径より小さいため、下方の数個を除く側面片持ち片２４の各々は、基部溝２４ａの部分で外方に折り曲げられている。なお、図５（ｂ）及び図５（ｃ）の図では、側面片持ち片２４が中間溝２４ｂ又は基部溝２４ａの部分で外方に折り曲げられているが、内方に折り曲げられても何ら問題はない。
【符号の説明】
【００５５】
１、１’  カバー
１ａ、１ｂ、１ａ’、１ｂ’  分割筐体
１０  天面
１１  不凍栓挿通部
１２  天面貫通孔
１３  隙間
１４  天面片持ち片
１４ａ  基部溝
１４ｂ  中間溝
１４ｃ１、 １４ｃ２  側辺
１４ｄ  頂辺
１４ｅ１、 １４ｅ２  切欠き
１５  切断部
１６  天面開口
１７  ノックアウト部
２０、２０’ 側面
２０ａ、２０ｂ、２０ａ’、２０ｂ’  広い面
２１、２１’  配管挿通部
２２  側面貫通孔
２３  隙間
２４  側面片持ち片
２４ａ  基部溝
２４ｂ  中間溝
２４ｄ  頂辺
２５  切断部
２６、２６’  側面開口
２７  ノックアウト部
２８  嵌合部
２８ａ  嵌合孔
２８ｂ  嵌合凸部
２８ｃ  嵌合爪
２９ａ、２９ｂ  ガイド
３０  底面
３１  開口
２  排水ボックス
３  不凍栓
４  上流側配管
５  下流側配管
【要約】
【課題】  制約のある天面において、天面の面積を従来のカバーと同程度としつつ、天面に通される可能性のある様々な径及び形状の不凍栓に対応可能な構造を有するカバーを提供する。
【解決手段】  カバーは、不凍栓が通る不凍栓挿通部を有する天面を備える。不凍栓挿通部は、天面の外方から内方に向かう方向に延びるように形成された湾曲可能な複数の天面片持ち片と、それらの天面片持ち片の外方において、天面の周方向に互いに近接するように設けられた複数の天面貫通孔とを有する。カバーは、さらに、不凍栓と連通する配管が通る少なくとも１つの配管挿通部を有する側面と、開口を有する底面とを備える。
【選択図】  図１【図１】
0006815664.tif 000002
【図２】
0006815664.tif 000003
【図３】
0006815664.tif 000004
【図４】
0006815664.tif 000005
【図５】
0006815664.tif 000006